(57)【要約】【課題】  本発明は、腰痛等の痛みを和らげる鎮痛消炎湿布剤、及び虫さされ痒み止め等の鎮痒消炎湿布剤に使用する捨て交換用ラバースポンジに関し、一回使用したラバースポンジを外し、交換することを可能にする使い捨てラバースポンジを提供するものである。【解決手段】  本発明は、プラスチック容器１に設けられたラバースポンジ取付部４に既存のラバースポンジ５装着されており、そのラバースポンジ５の上にサック型の交換用ラバースポンジ６が取り付けられている。このように構成することにより、他人が使用する際、既存のラバースポンジ５の上に交換用ラバースポンジ６を取り付けて使用する。したがって、自分が使用するとき、他人が使用した交換用ラバースポンジ６を取り外し、既存のラバースポンジ５を使用し、衛生上の問題をなくす。又、自分が使用する際、新たな交換用ラバースポンジを取り付けてもよい。【選択図】図３
2006110108.tif 000002
【特許請求の範囲】
【請求項１】
人の肌に塗布する鎮痛消炎湿布剤、又は鎮痒消炎湿布剤が収納され、既存のラバースポンジが取り付けられた容器であって、交換用ラバースポンジを前記既存のラバースポンジを覆って取り付けて使用することを特徴とする消炎湿布剤。
【請求項２】
前記交換用ラバースポンジは、サック型であることを特徴とする請求項１記載の消炎湿布剤。
【請求項３】
前記交換用ラバースポンジは、周囲が弾性部材で構成され、前記容器の取り付け部に前記弾性部材によって固定することを特徴とする請求項１記載の消炎湿布剤。
【請求項４】
前記交換用ラバースポンジは、円筒状の留具で固定されていることを特徴とする請求項１記載の消炎湿布剤。
【請求項５】
前記留具は、前記容器の底部に取り付けられていることを特徴とする請求項１記載の消炎湿布剤。
【請求項６】
前記留具は、蓋付きであることを特徴とする請求項１記載の消炎湿布剤。
【発明の詳細な説明】
【技術分野】
【０００１】
本発明は、腰痛等の痛みを和らげる鎮痛消炎湿布剤、及び虫さされ痒み止め等の鎮痒消炎湿布剤に使用する捨て交換用ラバースポンジに関し、特に使い捨てラバースポンジを使用する消炎湿布剤に関する。
【背景技術】
【０００２】
今日、肩こり、腰痛、関節痛、打撲などの症状を和らげるため、鎮痛消炎湿布剤が使用されている。また、虫さされや痒み止め等の目的で鎮痒消炎湿布剤が使用されている。
上記鎮痛消炎湿布剤、及び鎮痒消炎湿布剤は、瓶やプラスチック等の容器に収納され、容器本体の塗り口にラバースポンジが取り付けてある。そして、使い方としては、患部に直接塗るという方法が取られている。すなわち、容器の先端に取り付けられたラバースポンジ部分を皮膚に直接当て、容器を押圧することによってラバースポンジを介して薬剤を染み出させ、皮膚に塗る方法が行われている。
【０００３】
尚、特許文献１には、皮膚への浸透性が強く、解熱、鎮痛 、消炎などの即効性にすぐれ、極く短時間で解熱、鎮痛 、消炎などの効果が得られる湿布剤が開示されている。
【特許文献１】特開平８−３１０９６２号公報
【発明の開示】
【発明が解決しようとする課題】
【０００４】
しかしながら、上記鎮痛消炎湿布剤、及び鎮痒消炎湿布剤の使用は、患部に直接塗るという方法が取られている。このため、人によっては他人が使ったラバースポンジの使用を嫌う場合がある。
【０００５】
そこで、今回の発明では一回使用したラバースポンジは取り外し、交換して使用することが可能な使い捨てラバースポンジを提供し、当該使い捨てラバースポンジを使用する消炎湿布剤を提供するものである。
【課題を解決するための手段】
【０００６】
上記課題は本発明によれば、人の肌に塗布する鎮痛消炎湿布剤、又は鎮痒消炎湿布剤が収納され、既存のラバースポンジが取り付けられた容器であって、交換用ラバースポンジを前記既存のラバースポンジを覆って取り付けて使用する消炎湿布剤を提供するものである。
【０００７】
このように構成することにより、他人が使用する際、使い捨てのラバースポンジを取り付けて使用し、人々の間で使用しても衛生上の問題がなく、しかも他人への貸し借りも躊躇なく行うことができる消炎湿布剤を提供するものである。
【０００８】
また、前記交換用ラバースポンジは、例えばサック型である。また、例えば前記交換用ラバースポンジは、周囲が弾性部材で構成され、前記容器の取り付け部に前記弾性部材によって固定する構成である。
【０００９】
また、前記交換用ラバースポンジは、例えば円筒状の留具で固定されている。  さらに、前記留具は、例えば前記容器の底部に取り付け、又前記留具は、例えば蓋付きである。
【発明の効果】
【００１０】
本発明は上記構成により、衛生上の問題が解決されると共に、鎮痒消炎湿布剤又は鎮痛消炎湿布剤を躊躇なく貸し借りすることができる。
【発明を実施するための最良の形態】
【００１１】
以下、本発明の実施形態を図面に基づいて詳細に説明する。
図１は本発明のラバースポンジを取り付けた鎮痛消炎湿布剤を入れたプラスチック容器の例である。尚、プラスチック容器内には、鎮痛消炎湿布剤に代えて鎮痒消炎湿布剤を収納する構成としてもよい。
【００１２】
同図において、プラスチック容器１は、鎮痛消炎湿布剤２を収納する収納部３とラバースポンジ取付部４で構成されている。また、ラバースポンジ取付部４に既存のラバースポンジ５が取り付けられ、このラバースポンジ５を介して鎮痛消炎湿布剤２が吐出する。また、ラバースポンジ取付部４はプラスチック容器１の収納部３に対して斜め上方向に突き出して構成されている。
【００１３】
図２は、上記ラバースポンジ取付部４の拡大図である。同図に示すように、ラバースポンジ５は表面がメッシュ状の弾性体であり、表面は曲面形状であり、鎮痛消炎湿布剤２は上記メッシュの間から染み出す。
【００１４】
以下、具体例を示しながら上記ラバースポンジ取付部４に取り付ける使い捨て交換用ラバースポンジの説明を行う。
＜実施例１＞
図３は実施例１で用いる交換用ラバースポンジを説明するものである。
【００１５】
ラバースポンジ取付部４には既存のラバースポンジ５が取り付けてある。本例では、このラバースポンジ５に交換用ラバースポンジ６を新たに覆い被す構成である。すなわち、ラバースポンジ取付部４にサック型の交換用ラバースポンジ６が覆設される。
【００１６】
このように構成することによって、鎮痛消炎湿布剤２を既存のラバースポンジ５を介して他人の皮膚に塗ったとしても、使い捨て交換用ラバースポンジ６が他人の皮膚に直接触れる。したがって、後に同じ鎮痛消炎湿布剤２を自分の皮膚に塗っても衛生上問題がなく、使用することを躊躇させるものではない。
【００１７】
＜実施例２＞
次に、本発明の実施例２について説明する。
本実施例は実施例１と以下の点で異なる。実施例２では交換用ラバースポンジ７と留具８で構成されている。図４は実施例２の構成を示す図である。同図に示すように留具８は円柱状であり、ラバースポンジ取付部４の外径と留具８の内径は等しい。また、留具８の内側には、溝が形成されている。
【００１８】
したがって、先ず交換用ラバースポンジ７を取り付け、上部から留具８を圧入する。これによって、交換用ラバースポンジ７と留具８はラバースポンジ取付部４に完全に固定され、外れることがない。このようにして、留具８をラバースポンジ取付部４に固定することができ、交換用ラバースポンジ７だけを携帯するだけで本発明を実現できる。
【００１９】
＜実施例３＞
次に、本発明の実施例３について説明する。
図５は実施例３の構成を説明する図である。本実施例３は交換用ラバースポンジ１０に輪ゴム又はリング１１を取り付けて構成されている。正方形の交換用ラバースポンジ１０の角部に輪ゴム、又はリング１１の取り付け部１２を設け、ラバースポンジ取付部４の外周に周設している。また、輪ゴム又はリング１１はラバースポンジ取付部４に合わせて絞り留める。
【００２０】
このような構成により、輪ゴム又はリング付きの交換用ラバースポンジ１０のみを旅行などの際、持ち運ぶだけで本発明を実現できる。
＜実施例４＞
次に、本発明の実施例４について説明する。
【００２１】
図６は実施例４を説明する図である。本実施例は前述した留具８とプラスチック容器１の取り付け構成に関する。留具８の収納の為に、容器本体１の底面に使い捨て交換用ラバーキャップ留具と同寸法で取り付け可能な溝１３を施しておく。尚、容器本体１の大きさによっては、この留具８で容器本体の安定感を損なうため、塗布口部分を円錐形とし容器の肩部分にリング状の留具を取り付ける構成としている。
【００２２】
尚、図７の１４に示すように、留具やリングを蓋付きとする構成としてもよい。このように構成することにより、ラバースポンジの衛生が保たれる。
【図面の簡単な説明】
【００２３】
【図１】本発明のラバースポンジを取り付けた鎮痛消炎湿布剤を入れたプラスチック容器を示す図である。
【図２】ラバースポンジ取付部の拡大図である。
【図３】実施例１で用いる交換用ラバースポンジの説明図である。
【図４】実施例２の構成を示す図である。
【図５】実施例３の構成を説明する図である。
【図６】実施例４を説明する図である。
【図７】留具等を蓋付きとして使用することができる場合を示す図である。
【符号の説明】
【００２４】
１  プラスチック容器
２  鎮痛消炎湿布剤
３  収納部
４  ラバースポンジ取付部
５  ラバースポンジ
６  交換用ラバースポンジ
７  交換用ラバー
８  留具
１０  交換用ラバースポンジ
１１  輪ゴム又はリング
１２  取り付け部
１３  溝
１４  蓋付き留具
【図１】
2006110108.tif 000003
【図２】
2006110108.tif 000004
【図３】
2006110108.tif 000005
【図４】
2006110108.tif 000006
【図５】
2006110108.tif 000007
【図６】
2006110108.tif 000008
【図７】
2006110108.tif 000009